(57)【特許請求の範囲】
【請求項１】
前方に向かって開閉自在な一対のクリップアームを有するクリップが内視鏡の処置具案内管に通されるシースの先端部分に配置されて、生体組織に食い付かせるための食い付き爪が前記一対のクリップアームの各先端部分に内方に向かって突出形成され、前記一対のクリップアームに被嵌されたクリップ締付リングを前方に移動させることにより、前記一対のクリップアームが強制的に閉じられた状態を維持するように構成された内視鏡用クリップ装置において、
前記一対のクリップアームの各先端部分に内方に向かって突出形成された食い付き爪の中の第１の食い付き爪は、第１のクリップアームの先端部分から内側に略直角に曲がった状態に形成され、第２の食い付き爪は、第２のクリップアームの先端部分から内側に鈍角に曲がった状態に形成され、前記一対のクリップアームが閉じたとき、前記第１の食い付き爪の先端が前記第２の食い付き爪の途中の部分に向かって斜めに対向する状態になるように構成された内視鏡用クリップ装置。
【請求項２】
請求項１に記載された内視鏡用クリップ装置において、前記第２の食い付き爪が、前記第２のクリップアームの先端部分から１２０°±１５°曲がった状態に形成されている内視鏡用クリップ装置。
【請求項３】
請求項１又は２に記載された内視鏡用クリップ装置において、前記第１と第２の食い付き爪の少なくとも一方の最先端部分に、平面部とその平面部から凹んだ凹溝とが形成され、前記一対のクリップアームが閉じたときに、前記凹溝は対向する食い付き爪の平面部に位置している内視鏡用クリップ装置。
【発明の詳細な説明】
【技術分野】
【０００１】  本発明は、内視鏡の処置具案内管を経由して体内の止血処置等に用いられる内視鏡用クリップ装置に関する。
【背景技術】
【０００２】  内視鏡用クリップ装置は一般に、前方に向かって開閉自在な一対のクリップアームを有するクリップが内視鏡の処置具案内管に通されるシースの先端部分に配置されて、生体組織に食い付かせるための食い付き爪が一対のクリップアームの各先端部分に内方に向かって突出形成され、一対のクリップアームに被嵌されたクリップ締付リングを前方に移動させることにより、一対のクリップアームが強制的に閉じられた状態を維持するように構成されている（例えば、特許文献１、２）。【０００３】  そして、特許文献１に記載された発明では、食い付き爪が一対のクリップアームの各先端部分から内側に略直角に曲がった状態に形成され、特許文献２に記載された発明では、食い付き爪がクリップアームの各先端部分から内側に鈍角に曲がった状態に形成されている。
【特許文献１】  実公平４−２６０９１号公報
【特許文献２】  特開２００２−１９１６０９号公報
【発明の開示】
【発明が解決しようとする課題】
【０００４】  しかし、特許文献１に記載された発明のように食い付き爪が一対のクリップアームの各先端部分から内側に略直角に曲がった状態に形成されたものでは、一対のクリップアームを閉じるとその先端の食い付き爪が共に生体組織に突き刺さって、いわば生体組織を食いちぎった状態になってしまうため、クリップが安定した状態に留置されない場合がある。
また、特許文献２に記載された発明のように食い付き爪が一対のクリップアームの各先端部分から内側に鈍角に曲がった状態に形成されたものでは、一対のクリップアームを閉じるとその先端の食い付き爪が共に生体組織に対して突き刺さらずに斜め向きに押圧するだけの状態になるので、生体組織の動き等によってクリップの先端が滑って外れてしまう場合がある。【０００５】  本発明はそのような問題を解決するためになされたものであり、生体組織に対してクリップを安定した状態に留置することができる内視鏡用クリップ装置を提供することを目的とする。
【課題を解決するための手段】
【０００６】
本発明による内視鏡用クリップ装置は、前方に向かって開閉自在な一対のクリップアームを有するクリップが内視鏡の処置具案内管に通されるシースの先端部分に配置されて、生体組織に食い付かせるための食い付き爪が一対のクリップアームの各先端部分に内方に向かって突出形成され、一対のクリップアームに被嵌されたクリップ締付リングを前方に移動させることにより、一対のクリップアームが強制的に閉じられた状態を維持するように構成された内視鏡用クリップ装置において、一対のクリップアームの各先端部分に内方に向かって突出形成された食い付き爪の中の第１の食い付き爪は、第１のクリップアームの先端部分から内側に略直角に曲がった状態に形成され、第２の食い付き爪は、第２のクリップアームの先端部分から内側に鈍角に曲がった状態に形成され、一対のクリップアームが閉じたとき、第１の食い付き爪の先端が第２の食い付き爪の途中の部分に向かって斜めに対向する状態になるように構成されていることを第１の特徴とする。
【０００７】
また本発明は、前記第１の特徴の内視鏡用クリップ装置において、第２の食い付き爪が、第２のクリップアームの先端部分から１２０°±１５°曲がった状態に形成されていることを第２の特徴とする。
【０００８】
更に本発明は、前記第１又は第２の特徴の内視鏡用クリップ装置において、第１と第２の食い付き爪の少なくとも一方の最先端部分に、平面部とその平面部から凹んだ凹溝とが形成され、前記一対のクリップアームが閉じたときに、前記凹溝は対向する食い付き爪の平面部に位置していることを第３の特徴とする。
【発明の効果】
【０００９】
本発明の内視鏡用クリップ装置によれば、第１の食い付き爪が第１のクリップアームの先端から内側に略直角に曲がった状態に形成されて、第２の食い付き爪が第２のクリップアームの先端から内側に鈍角に曲がった状態に形成され、一対のクリップアームが閉じたとき、第１の食い付き爪の先端が第２の食い付き爪の途中の部分に向かって斜めに対向する状態になるように構成されていることにより、第１の食い付き爪は生体組織に突き刺さるように食い込み、第２の食い付き爪は生体組織に突き刺さることなく斜め向きに押圧する状態になるので、クリップが生体組織を食いちぎったり滑って外れてしまうようなどちらの状態にもならず、クリップを生体組織に対して非常に安定した状態に留置することができる。更に本発明によれば、一対のクリップアームが閉じたときに、凹溝は対向する食い付き爪の平面部に位置しているため、生体組織を食いちぎることを防止する。
【実施例】
【００１０】  以下、図面を参照して本発明の実施例を具体的に説明する。
図３は内視鏡用クリップ装置の先端部分の側面断面図、図４は平面断面図である。
１は、止血等を行うためのクリップであり、例えばバネ用のステンレス板等のようなバネ性を有する板材をプレス加工等で曲げて形成され、後端部１ｂが略Ｕ状に平行に曲げ戻されて、外力が加わっていない状態の時に先寄りの一対のクリップアーム１Ａ，１Ｂ部分が前方に向かって「ハ」の字状に拡開した状態になる形状で開閉自在に形成されている。【００１１】  各クリップアーム１Ａ，１Ｂの先端部分には、生体組織に食い付かせるための食い付き爪１Ａａ，１Ｂａが内方に向かって突出形成され、第１の食い付き爪１Ａａは、第１のクリップアーム１Ａの先端部分から内側に略直角に曲がった状態に形成され、第２の食い付き爪１Ｂａは、第２のクリップアーム１Ｂの先端部分から内側に例えば１２０°程度の鈍角に曲がった状態に形成され、図５に示されるように、一対のクリップアーム１Ａ，１Ｂが閉じた状態の時に、第１の食い付き爪１Ａａの先端が第２の食い付き爪１Ｂａの途中の部分に向かって斜めに対向する状態になるようになっている。【００１２】  一対のクリップアーム１Ａ，１Ｂの背部には各々貫通穴１ｃが形成されていて、一対のクリップアーム１Ａ，１Ｂの間に挟み込まれた生体組織がその貫通穴１ｃ内にめり込むことにより、クリップの留置性が高められている。なお、貫通穴１ｃは一対のクリップアーム１Ａ，１Ｂの一方のみに形成してもよく、省いても差し支えない。また、各食い付き爪１Ａａ，１Ｂａには、その正面図である図６に示されるように、最先端面に平面部１ｅが設けられて生体組織に安定した状態に係合することができると同時に、その平面部１ｅから例えばＶに凹んだ凹溝１ｄが形成されて生体組織への食い付きをよくしている。【００１３】  図３及び図４に戻って、２は、クリップ１を閉じた状態に維持させるためのクリップ締付リングであり、クリップ１の中間部分より後寄りの部分に被さる状態に取り付けられている。クリップ締付リング２は、例えばステンレスパイプ材又は硬質プラスチック等のような剛体により短い円筒状に形成されてクリップ１に嵌着され（即ち、クリップ１がクリップ締付リング２内に通された状態になっている）、クリップ１の後端寄りの部分を囲む状態に配置されている。その状態では、クリップ１は自己の弾力性によって先端が開いた状態に拡開しており、図５等に示されるように、クリップ締付リング２をクリップ１の後方側から前方側に移動させることによりクリップ１を強制的に閉じた状態にすることができる。【００１４】  再び図３及び図４に戻って、３は、先端がクリップ締付リング２の後端に当接してクリップ１を強制的に閉じた状態にするために、クリップ締付リング２をクリップ１の先端方向に押し進めるための可撓性シースであり、クリップ連結部材４Ａによりクリップ１の後端部１ｂに係脱自在に連結されたクリップ保持ワイヤー４が、可撓性シース３内に軸方向にスライド自在に挿通されている。そして、可撓性シース３とクリップ保持ワイヤー４の各手元側端部は図示されていない操作部に達していて、操作部において相対的に進退操作される。【００１５】  可撓性シース３は、例えば断面形状が偏平なステンレス線を密着巻きしたコイルパイプにより形成されている。したがって、柔軟な可撓性を有するが外力によってほとんど圧縮されない特性を有している。ただし、断面形状が円形のコイルパイプ或いは腰の強いフッ素樹脂チューブやＰＥＥＫ（ポリエーテルエーテルケトン）樹脂等のような合成樹脂チューブ等で形成しても差し支えない。【００１６】  可撓性シース３の先端には、ステンレスパイプ材又は硬質プラスチック材等のような剛体により形成された円筒状のクリップ保持口金１０が可撓性シース３に対して直列の状態にロー付け又は接着等により一体に固着されて取り付けられていて、そのクリップ保持口金１０の最先端部分には、クリップ締付リング２を緩く囲む状態に保持する締付リング保持孔１１が形成されている。締付リング保持孔１１は、クリップ締付リング２が緩く嵌挿される径の円形の断面形状に形成されており、締付リング保持孔１１の一番奥の端部は径が少し狭まって、クリップ締付リング２の後端面が当接する当接面１１ａが前方に向いて形成された状態になっている。なお、クリップ１は自己の弾力性により拡開方向に付勢されているので、クリップ締付リング２の内面に内方から弾力的に押し付けられた状態になっている。【００１７】  クリップ保持口金１０には、そのような締付リング保持孔１１の後側に連なってクリップ１の後端寄りの部分を保持するクリップ保持孔１２が形成されている。クリップ保持孔１２は、クリップ１が拡開した状態においてクリップ締付リング２内から後方に突出するクリップ１の後端部分付近を緩く囲む状態に保持している。そのように構成することにより、クリップ保持孔１２に対するクリップ１の接触面積を小さくして、クリップ１が摺動する際の抵抗を小さくすることができる。【００１８】  クリップ保持ワイヤー４の先端に連結環４Ｂによって連結されたクリップ連結部材４Ａは、先端が内方に折れ曲がったピンセット状にバネ性を有する材料で形成されており、可撓性シース３（及びクリップ保持口金１０）内では窄まった状態に弾性変形してクリップ１の後端部１ｂに係合しているが、クリップ保持口金１０の先端から突出すると、後述する図１に示されるように拡開してクリップ１との係合が外れるようになっている。【００１９】  図３及び図４に戻って、５は、可撓性シース３に緩く被嵌された例えばフッ素樹脂チューブ等からなる可撓性の外套管である。外套管５の先端は、通常は可撓性シース３の先端より少し後退した位置にあるが、手元側の操作部で外套管５を前方に押し進める操作をすれば、図２に示されるように、外套管５の先端部分がクリップ１に被さった状態になってクリップ１を窄んだ状態に弾性変形させることができ、外套管５が後方に退避すればクリップ１は図３に示される元の拡開した状態に戻る。【００２０】  このように構成されたクリップ１を用いた内視鏡用クリップ装置を内視鏡の処置具案内管に通して経内視鏡的クリッピング操作を行う場合には、図２に示されるように、クリップ連結部材４Ａにクリップ１の後端部１ｂを係合させて外套管５を前方に押し出し、クリップ１を窄んだ状態にして図示されていない内視鏡の処置具案内管に挿入する。そして体内で、内視鏡用クリップ装置の先端を内視鏡の先端から突出させて、図３及び図４に示されるように外套管５を後方に退避させることによ��クリップ１を拡開した状態にして目標とする患部に臨ませる。【００２１】  次いで、可撓性シース３の基端に連結されている図示されていない操作部からの遠隔操作によって、図５に示されるように、クリップ保持ワイヤー４に対して相対的に可撓性シース３を前方に押し出す操作をすることにより、クリップ締付リング２がクリップ１に対して後方から前方に向かって押し出されてクリップ１が強制的に閉じられた状態になり、その際に一対のクリップアーム１Ａ，１Ｂの間に生体組織を位置させておくことにより生体組織をクリッピングすることができる。そして、図１に示されるように、可撓性シース３を後方に退避させてクリップ１の後端部１ｂからクリップ連結部材４Ａを外し、クリップ締付リング２で強制的に閉じられた状態のクリップ１を体内に留置することができる。【００２２】  その際、本発明においては、第１の食い付き爪１Ａａが第１のクリップアーム１Ａの先端部分から内側に略直角に曲がった状態に形成され、第２の食い付き爪１Ｂａは、第２のクリップアーム１Ｂの先端部分から内側に鈍角に曲がった状態に形成されていることにより、第１の食い付き爪１Ａａは生体組織に突き刺さるように食い込み、第２の食い付き爪１Ｂａは生体組織に突き刺さることなく斜め向きに押圧する状態になる。その結果、クリップ１が生体組織を食いちぎったり滑って外れてしまうようなどちらの状態にもならず、生体組織に対して非常に安定した状態に留置される。なお、そのような効果を得るためには、第２のクリップアーム１Ｂに対する第２の食い付き爪１Ｂａの折り曲げ角度が１２０°±１５°程度の範囲にあるとよい。【００２３】  図７は本発明の第２の実施例の内視鏡用クリップ装置の先端部分を示しており、第１の食い付き爪１Ａａと第２の食い付き爪１Ｂａとが、一対のクリップアーム１Ａ，１Ｂが閉じた状態の時に噛み合わないように偏位して形成されている。この場合には、第２の食い付き爪１Ｂａが内側に鈍角に曲がった状態に先端に形成された第２のクリップアーム１Ｂが、第１の食い付き爪１Ａａが内側に略直角に曲がった状態に先端に形成された第１のクリップアーム１Ａより前方に長く形成されていてもよい。このように形成しても第１の実施例と同様の効果を得ることができる。【００２４】  図８は本発明の第３の実施例のクリップアーム１Ａ（１Ｂ）を示しており、クリップアーム１Ａ，１Ｂの背部の貫通穴１ｃが形成された部分の周囲の幅を他の部分より広げたものである。このように構成することにより、貫通穴１ｃの径を大きくしてクリップ１の留置性をより向上させることができる。
【図面の簡単な説明】
【００２５】
【図１】本発明の第１の実施例のクリップが生体組織にクリッピングされて留置された状態の内視鏡用クリップ装置の先端部分の側面断面図。
【図２】本発明の第１の実施例の外套管でクリップが閉じられた状態の内視鏡用クリップ装置の先端部分の側面断面図。
【図３】本発明の第１の実施例のクリップが開いた状態の内視鏡用クリップ装置の先端部分の側面断面図。
【図４】本発明の第１の実施例のクリップが開いた状態の内視鏡用クリップ装置の先端部分の平面断面図。
【図５】本発明の第１の実施例のクリップが閉じた状態の内視鏡用クリップ装置の先端部分の側面断面図。
【図６】本発明の第１の実施例の内視鏡用クリップ装置の食い付き爪の正面図。
【図７】本発明の第２の実施例のクリップが閉じた状態の内視鏡用クリップ装置の先端部分の側面断面図。
【図８】本発明の第３の実施例の内視鏡用クリップ装置のクリップアームの平面図。
【符号の説明】
【００２６】１…クリップ
１Ａ…第１のクリップアーム
１Ａａ…第１の食い付き爪
１Ｂ…第２のクリップアーム
１Ｂａ…第２の食い付き爪
１ｃ…貫通穴
１ｄ…凹溝
１ｅ…平面部
２…クリップ締付リング
３…可撓性シース
【図１】
0004512725.tif 000002
【図２】
0004512725.tif 000003
【図３】
0004512725.tif 000004
【図４】
0004512725.tif 000005
【図５】
0004512725.tif 000006
【図６】
0004512725.tif 000007
【図７】
0004512725.tif 000008
【図８】
0004512725.tif 000009